(57)【要約】      （修正有）【課題】吊り下げられる衣服が邪魔にならず、且つ車両運転者の視野外に位置づけられるようにする。さらに、衣服が衣服用ハンガの必要なしに吊り下げられることを可能にし、且つ複数の接触点を設けて衣服上の見苦しい跡を最小限に抑える。【解決手段】支持棒４０は、従来の車両天井のフックより大きい支持面積を提供するように構成される。略垂直な支持ポストは、支持棒４０へ固定される。エンクロージャのウェル６０は、内部に上面４８を除いて支持棒４０を全て受け入れるように構成される。エンクロージャウェル６０の開放側は、車両座席３８の上面４８と同一平面で設置されるように構成される。ポスト受け７０はエンクロージャウェル６０の底部分へ固定され、且つ支持ポストを内部に受け入れるように構成される。各ポスト受け７０は、好適には、支持棒４０と支持ポストとが選択的に垂直に位置合わせ可能であるように摩擦嵌合で支持ポストと接触する。【選択図】図１
2012140117.tif 000002
【特許請求の範囲】
【請求項１】
少なくとも１つの衣服または衣服用ハンガのための、且つ車両の座席の上面に一体化するための支持機構であって、
前記少なくとも１つの衣服または衣服用ハンガを支えるように構成され、上面と、底面と、周縁とを含む略水平の支持棒と、
各々がその上端で前記支持棒の底面に固定される少なくとも１つの略垂直な支持ポストと、
前記支持棒の前記上面を除く全てを受け入れるように構成されるエンクロージャウェルであって、前記エンクロージャウェルの開放側は前記車両座席の上面と同一平面で取り付けられるように構成される前記エンクロージャウェルと、
各々が前記エンクロージャウェルの底部分へ固定され且つ内部に前記少なくとも１つの支持ポストのうちの１つの底端を受け入れるように構成される少なくとも１つのポスト受けであって、前記各ポスト受けは、前記支持棒および前記支持ポストが選択的に垂直に位置合わせ可能であるように前記支持ポストに摩擦嵌合で接触する少なくとも１つのポスト受けと、を備え、
これにより、前記エンクロージャウェルが前記車両座席の上面と同一平面で取り付けられた状態で、前記支持棒は前記車両座席の上面と同一平面である収納位置へ降下可能であり、また、前記少なくとも１つの衣服または衣服用ハンガのための支えを提供するために展開位置へ配置可能である、支持機構。
【請求項２】
前記支持棒の上面は、前記衣服用ハンガのうちの１つを重力によって保持するように構成される複数の横溝を含む、請求項１に記載の支持機構。
【請求項３】
前記支持棒の底面は、各々が前記衣服用ハンガのうちの１つを受け入れるための下向きに突出した複数のフックを含む、請求項１に記載の支持機構。
【請求項４】
前記支持棒の底面は、各々が前記衣服用ハンガのうちの１つを受け入れるための下向きに突出した複数のループを含む、請求項１に記載の支持機構。
【請求項５】
各ポスト受けは、前記支持棒の把持を可能にするために、前記車両座席の上面と同一平面である前記支持棒の上面に対応する下降位置と、前記車両座席の上面より上昇されている前記支持棒の上面に対応する上昇位置と、の間をトグルするトグルロック機構を含み、
前記トグルロック機構は前記支持棒を押し込むことによってトグルされる、請求項１に記載の支持機構。
【請求項６】
前記支持棒の周縁はさらに、前記支持棒の手動把持および上昇を可能にする少なくとも１つのフィンガセクションを含む、請求項２に記載の支持機構。
【請求項７】
前記支持棒は、引き込み位置と延長位置との間で延長可能な少なくとも１つの延長セグメントをさらに含み、
前記各延長セグメントは、少なくとも１つの衣服または衣服用ハンガを載せて支えるように構成される、請求項２に記載の支持機構。
【請求項８】
各延長セグメントは、前記引き込み位置と前記延長位置との間で滑動可能式に拡張可能である、請求項７に記載の支持機構。
【請求項９】
各延長セグメントは、前記引き込み位置と前記延長位置との間で旋回式に拡張可能である、請求項７に記載の支持機構。
【請求項１０】
少なくとも１つのポスト受けは、前記支持ポストを解放して垂直動作を可能にすべくそのアクチュエータが手動で作動されるまで、前記支持ポストを前記ポスト受けに対して所定位置に固定するためのクランプロックを含み、
前記支持ポストは、前記クランプロックと協働するための少なくとも１つのロック溝をさらに含む、請求項１に記載の支持機構。
【請求項１１】
少なくとも１つの衣服または衣服用ハンガのための、且つ車両の座席の上面に一体化するための支持機構であって、
各々が少なくとも１つの衣服または衣服用ハンガを支えるように構成され、且つ上面と、底面と、遠位端と、近位端と、周縁とを含む１対の水平支持棒と、
旋回機構において、その上端で各支持棒の前記近位端に固定される略垂直な支持ポストと、
前記遠位端を除いて前記支持棒を全て受け入れるように構成されるエンクロージャウェルであって、前記車両座席の上面と同一平面で取り付けられるように構成される前記エンクロージャウェルと、
前記エンクロージャウェルの底部分へ固定され且つ内部に前記支持ポストの底端を受け入れるように構成されるポスト受けであって、前記支持棒および前記支持ポストが選択的に垂直に位置合わせ可能であるように前記支持ポストに摩擦嵌合で接触する前記ポスト受けと、を備え、
これにより、前記エンクロージャウェルが前記車両座席の上面と同一平面で取り付けられた状態で、前記支持棒はその遠位端が前記車両座席の上面と同一平面であるように収納位置へ降下可能であり、また、前記少なくとも１つの衣服または衣服用ハンガのためのＴ字形の支えを提供するために展開位置へ配置可能である、支持機構。
【請求項１２】
各支持棒の上面は、前記支持棒が前記展開位置にあるときに前記衣服用ハンガのうちの１つを重力によって保持するように構成される複数の横溝を含む、請求項１１に記載の支持機構。
【請求項１３】
各支持棒の底面は、各々が前記衣服用ハンガのうちの１つを受け入れるための下向きに突出した複数のフックを含む、請求項１１に記載の支持機構。
【請求項１４】
各支持棒の底面は、各々が前記衣服用ハンガのうちの１つを受け入れるための下向きに突出した複数のループを含む、請求項１１に記載の支持機構。
【請求項１５】
前記ポスト受けは、前記支持棒の把持を可能にするために、前記車両座席の上面と同一平面である各支持棒の遠位端に対応する下降位置と、前記車両座席の上面より上昇されている各支持棒の遠位端に対応する上昇位置との間をトグルするトグルロック機構を含み、
前記トグルロック機構は各支持棒の前記遠位端を押し込むことによってトグルされる、請求項１１に記載の支持機構。
【請求項１６】
各ポスト受けは、前記支持ポストのうちの１つに摩擦式に接触するように構成されるエラストマリングを含む、請求項１に記載の支持機構。
【請求項１７】
前記エンクロージャウェルが通って嵌り且つ摩擦によって内部に保持される開口を有するトリムプレートをさらに含み、前記トリムプレートは前記車両座席の上面へ固定されるように構成される、請求項１に記載の支持機構。
【発明の詳細な説明】
【関連出願の相互参照】
【０００１】
本出願は、２０１０年１２月２９日に出願された米国暫定特許出願第６１／４２８，１９８号の利益を主張するものであり、本参照により本明細書に組み込まれる。
【技術分野】
【０００２】
本発明は支持デバイスに関し、より具体的には、車両のための衣服支持デバイスに関する。
【背景技術】
【０００３】
車両内で衣服を支持するための支持フックまたは衣服用ハンガは周知であり、典型的には、衣服が吊り下げられて他の表面に接触しないように車室天井に近接して設置される。しかしながら、このようなフックの使用は、特に車両の外側に立っている場合には煩わしい可能性がある。衣服を車両天井のフックへ直に吊り下げようとすることは、衣服用ハンガの助けがなければ困難である。さらに、衣服が天井のフック上へ直に吊り下げられる場合、衣服の全体重量が天井のフックに押しつけられることから、単一の接点により衣服に望ましくない跡がつく。
【発明の概要】
【発明が解決しようとする課題】
【０００４】
したがって、車外に居る間の立ち位置から容易にアクセスできる衣服吊り下げ用支持デバイスが必要とされている。必要とされているこのような発明は、使用されていないときでも見た目が美しい引き込まれたポジションを提供するものであり、且つ助手席または運転席の背後で衣服を吊り下げられるように容易に展開可能となり、よって他の表面に接触することなく衣服を吊り下げられるようにする。必要とされるこのようなデバイスは、このようなデバイスにより吊り下げられる衣服が邪魔にならず、且つ車両運転者の視野外に位置づけられるようにする。必要とされるデバイスは、さらに、衣服が衣服用ハンガの必要なしに吊り下げられることを可能にし、且つ複数の接触点を設けて衣服上の見苦しい跡を最小限に抑える。本発明は、これらの目的を達成する。
【課題を解決するための手段】
【０００５】
本デバイスは、少なくとも１つの衣服または衣服用ハンガのための、且つ車両の座席の上面に一体化するための支持機構である。本支持機構は、スーツの上着、ズボン、コート等の少なくとも１つの衣服の重量を支えるように構成される。略水平且つ硬質の支持棒は少なくとも１つの衣服を支えるように構成され、且つ少なくとも上面と、底面と、周縁とを含む。支持棒は、衣服用ハンガの必要なしに衣服を支えるように構成されるが、所望されれば、衣服用ハンガが使用されてもよい。支持棒の上面は、衣服用ハンガのうちの１つを内部に例えば重力または摩擦によって保持するように構成される複数の横溝を含んでもよい。さらに、もしくは代替として、支持棒の底面は、各々が衣服用ハンガの１つを受け入れるための複数の下向きに突出したフックまたはループを含んでもよい。少なくとも１つの略硬質の垂直な支持ポストは、その上端で支持棒の底面へ固定される。
【０００６】
エンクロージャウェルは、内部に上面を除いて支持棒を全て受け入れるように構成され、エンクロージャウェルの開放側は、車両座席の上面と同一平面で設置されるように構成される。エンクロージャウェルの開放側は、例えば開放側の外周が黒メッキまたはクロムメッキされた材質等の、車両座席の上面に対して好ましい外観であるように構成される。
【０００７】
少なくとも１つのポスト受けがエンクロージャウェルの底部分へ固定され、且つ少なくとも１つの支持ポストのうちの１つの底端を内部に受け入れるように構成される。各ポスト受けは、支持棒と支持ポストとが選択的に垂直に位置合わせ可能であるように摩擦嵌合で支持ポストと接触する。ポスト受けのうちの少なくとも１つは、支持ポストを解放してその垂直動作を可能にすべくそのアクチュエータが手動で作動されるまで支持ポストをポスト受けに対して所定位置に固定するように構成されるクランプロックを含んでもよい。支持ポストはさらに、クランプロックと協働するための少なくとも１つのロック溝を含んでもよい。
【０００８】
本発明の代替実施形態において、１対の水平支持棒は各々、旋回機構において、その近位端が支持ポストの上端へ固定される。このような実施形態では、支持ポストがその収納位置へと下降されると、各支持棒の遠位端は車両座席の上面と同一平面になる。
【０００９】
使用に際しては、エンクロージャウェルが車両座席の上面と同一平面に設置された状態で、支持棒は、車両座席の上面と同一平面である収納位置まで下降されてもよく、次いで、少なくとも１つの衣服または衣服用ハンガを載せるサポートを提供するために展開位置へと配置されてもよい。
【００１０】
本発明は、車外に居る間に立ち位置から容易にアクセスできる衣服吊り下げ用支持デバイスである。本デバイスは、使用されていないときでも見た目が美しい引き込まれたポジションを可能にし、且つ助手席または運転席の背後で衣服を吊り下げられるように容易に展開可能であり、よって他の表面に接触することなく衣服を吊り下げられるようにする。本発明は、衣服が邪魔にならず、且つ車両運転者の視野外に吊り下げられるようにし、車両のバックミラーおよびサイドミラーの視野方向からも外れるようにする。本発明はさらに、衣服が衣服用ハンガの必要なしに吊り下げられることを可能にし、且つ単純な天井のフックより多い接触点を提供する。本発明の他の特徴および優位点は、本発明の原理を例として示す添付の図面に関連して行う以下のより詳細な説明から明らかとなるであろう。
【図面の簡単な説明】
【００１１】
【図１】車両座席に据え付けられた状態で示されている本発明の斜視図である。
【図２】本発明の支持棒が展開位置にある状態を示す斜視図である。
【図３】図２の左側面図である。
【図４】図２の線４−４に沿った、但し支持棒が引き込まれた位置にある状態を示す本発明の断面図である。
【図５】垂直の支持ポストと支持棒とを示す部分正面図である。
【図６】本発明の代替実施形態を示す斜視図である。
【図７】概して図６の線７−７に沿った拡大斜視図である。
【図８】１対の支持棒が引き込み位置へ折り畳まれた状態を示す、図６の切欠き斜視図である。
【図９】概して図６の線９−９に沿った代替実施形態の断面図である。
【図１０】収納位置にある本発明の背面図である。
【図１１】収納位置にある本発明の正面図である。
【図１２】展開位置にある本発明の背面図である。
【図１３】展開位置にある本発明の正面図である。
【図１４】収納位置にある本発明の斜視図である。
【図１５】展開位置にある本発明の斜視図である。
【図１６】車両座席に据え付けられた状態で示されている本発明の斜視図である。
【図１７】展開位置にある本発明の左側面図である。
【図１８】収納位置にある本発明の左側面図である。
【発明を実施するための形態】
【００１２】
以下、本発明の例示的な実施形態について説明する。以下の説明は、これらの実施形態を完全に理解するための、且つこれらの実施形態の記述を可能にする特有の詳細を提供する。当業者には、本発明がこのような詳細なしに実施されてもよいことが理解されるであろう。他の例では、実施形態の説明を不必要に曖昧にすることを回避するために、周知の構造および機能に関する詳細な図示および記述は省かれている。
【００１３】
文脈により別段の必要性が明らかでない限り、明細書本文および請求の範囲を通じて、「を備える」「を備えている」という記載およびこれに類似するものは、排他的または排他的意味合いとは反対の包含的意味合い、即ち、「を含む、但しこの限りではない」という意味合いで解釈されるべきである。また、単数または複数を用いる用語も、各々複数または単数を含む。さらに、本出願で使用される場合の「本明細書において」、「先の」、「下記の」および類似の趣旨の記載は、全体としての本出願を指すものであって、本出願の任意の具体的な部分を指すものではない。請求の範囲が２つ以上のアイテムのリストを参照して「または」という用語を用いる場合、この用語は、リストに記載されている任意のアイテム、リストに記載されている全てのアイテムおよびリストに記載されているアイテムの任意の組合せ、という用語解釈を全て包含する。
【００１４】
図１および図２は、スーツの上着、ズボン、コート等の少なくとも１つの衣服２５（図１６）または少なくとも１つの衣服用ハンガ２０（図６）のための、且つ車両座席３０の上面３８に一体化するための支持機構１０を示す。支持機構１０は、少なくとも１つの衣服２５の重量を直に、または各衣服用ハンガ２０から吊り下げられた少なくとも１つの衣服２５の重量を支えるように構成される。このような車両３０は、図示されているような自動車であっても、バス、バン、飛行機、列車または他の車両（図示せず）であってもよい。
【００１５】
略水平且つ硬質の支持棒４０は少なくとも１つの衣服２５または衣服用ハンガ２０を支えるように構成され、且つ少なくとも上面４８と、底面４２と、周縁４５とを含む。支持棒４０は、図１６に示されているように衣服用ハンガ２０の必要なしに衣服２５を支えるように構成されるが、所望されれば、衣服用ハンガ２０が使用されてもよい。支持棒４０は、従来の車両天井のフック（図示せず）による単一接触点より大きい支持面積を提供する。
【００１６】
支持棒４０の上面４８は、衣服用ハンガ２０のうちの１つを内部に例えば重力または摩擦によって保持するように構成される複数の横溝１００を含んでもよい。さらに、もしくは代替として、支持棒４０の底面４２は、各々が衣服用ハンガ２０の１つを受け入れるための複数の下向きに突出したフック１１０（図５）またはループ１２０を含んでもよい。ある実施形態において、支持棒の上面４８は磨かれた木の外観を有し、支持棒４０は木製であるか、ベニヤ板の上面４８を有する。或いは、支持棒４０はクロムまたは他の金属仕上げ、プラスチック仕上げ、革仕上げなどで製造されてもよく、よって支持棒４０の上面４８は、車両座席３０の上面３８と同一平面にあるときに好ましい外観を有する。別の実施形態では、支持棒４０の上面４８は、支持棒４０上へ直に置かれる場合に衣服２５の固定を促進すべくより大きい摩擦を与える防滑性革仕上げ等の仕上げを含む。
【００１７】
支持棒４０はさらに、引き込み位置１８０と延長位置１９０（図２）との間で延長可能な少なくとも１つの延長セグメント１７０を含んでもよい。各延長セグメント１７０は少なくとも１つの衣服２５をその上で支えるように構成され、且つ各衣服２５を各衣服２５のサイズおよび性質に依存してより良く支えるために延長されることが可能である。好適には、支持棒４０は、図１２および図１３に示されているように、対向する両端に２つの延長セグメント１７０を含む。ある好適な実施形態では、各延長セグメント１７０が延長された状態での支持棒４０の幅は約１８インチであり、ほぼ標準的な衣服用ハンガの幅である。また、各延長セグメント１７０は少なくとも１つの衣服用ハンガ２０をその上で支えるように構成され、且つ支持機構１０によって複数の衣服用ハンガ２０が支えられる場合には延長されることが可能である。このような延長セグメント１７０は、図１３および図１５に示されているように引き込み位置１８０と延長位置１９０との間で前後に滑動してもよく、または例えば蝶番（図示せず）において引き込み位置１８０と延長位置１９０との間を旋回してもよい。
【００１８】
図１３に示されている実施形態では、各延長セグメント１７０は滑り板１７３を含む。滑り板１７３は、各延長セグメント１７０が支持棒４０に沿って内外へ滑動することを可能にする。各滑り板１７３はさらに、各延長セグメント１７０が誤って外されることを防止するために少なくとも１つの停止ねじ１７５を含んでもよい。好適には、各滑り板１７３と支持棒４０との間にテフロンまたはテフロン材料（図示せず）が置かれ、各延長セグメント１７０の滑動動作が促進される。滑動行動および張力は、各停止ねじ１７５を締め付ける、または緩めることによって調整されることが可能である。
【００１９】
少なくとも１つの略硬質の垂直な支持ポスト５０は、その上端５８で支持棒４０の底面４２へ固定される。支持ポスト５０の上端５８は、支持棒４０の底面４２を介して埋め込まれ、例えば少なくとも１つの機械的締結具によって底面４２へ保持されてもよく、またはねじ山（図示せず）を包含して支持棒４０の底面４２を横断するねじ切りされた開口（図示せず）へねじ込まれてもよい。
【００２０】
エンクロージャウェル６０は、内部に支持棒４０の上面４８を除く全てを受け入れるように構成され、エンクロージャウェル６０の開放側６８は、車両座席３０の上面３８と同一平面で設置されるように構成される。このようなエンクロージャウェル６０は、例えばプラスチック射出成形材料から、またはクロムまたは他の金属材料等から製造されてもよい。エンクロージャウェル６０の開放側６８は、例えば開放側６８の外周が黒メッキまたはクロムメッキされた材質等の、車両座席３０の上面３８に対して好ましい外観であるように構成される。エンクロージャウェル６０は、車両座席３０内へ、例えば縫製等の任意の適切な機械的締結手段によって、または追加的な機械的締結具等によって固定されてもよい。
【００２１】
少なくとも１つのポスト受け７０はエンクロージャウェル６０の底部分６２へ固定され、且つ少なくとも１つの支持ポスト５０のうちの１つの底端５２を内部に受け入れるように構成される。各ポスト受け７０は、支持棒４０と支持ポスト５０とが選択的に垂直に位置合わせ可能であるように摩擦嵌合で支持ポスト５０と接触する。別の実施形態において、各ポスト受け７０は各支持ポスト５０上に緩衝圧力を与えるＯリング７２を含み、図１７および図１８に示されているように、支持棒４０が所望される高さまで上下に滑動することを可能にする。ある実施形態では、エンクロージャウェル６０は、例えば射出成形されたプラスチック材料等で各ポスト受け７０と一体式に形成される。別の実施形態では、エンクロージャウェル６０はトレーとトリムプレートとで製造され、これにより、トリムプレートは車両座席３０へ取り付けられ、且つトレーはトリムプレート内へ嵌るか、そうでなければトリムプレートにより摩擦式に保持される。
【００２２】
各ポスト受け７０はさらに、支持棒４０を例えば親指と人差し指との間に把持することなどによって把持できるようにするために、車両座席３８の上面３８と同一平面である支持棒４０の上面４８に対応する下降位置１４０と、車両座席３０の上面３８より上昇されている支持棒４０の上面４８に対応する上昇位置１５０との間をトグルする機械的なトグルロック機構１３０（図４、図８および図９）を含んでもよい。したがって、トグルロック機構１３０を下降位置１４０から上昇位置１５０へ移動させるために、支持棒４０は、支持棒４０の上面４８が車両座席３０の上面３８の平面より下へ移動されることにより各支持ポスト５０および支持棒４０が車両座席３０の上面３８より上の位置まで上昇されるべくトグルロック機構１３０がトグルされるようにエンクロージャウェル６０内へ押し下げられてもよい。次に、トグルロック機構１３０を上昇位置１５０から下降位置１４０へ移動させるために、支持棒４０は再度、車両座席３０の上面３８より下へ押し下げられる。このようなトグルロック機構１３０は技術上既知であるばねおよびギヤまたはレバー機構を含み、しばしばキャビネットのドアおよび引き出し等に用いられる。或いは、支持棒４０の展開位置９０から上昇位置１５０への下降が結果的にトグルロック１３０の「ソフトクローズ」となり、よってしばらくすると支持棒４０の上面４８が車両座席３０の上面３８に対して共面位置をとるように、所謂「ソフトクローズ」型のトグルロック機構１３０が使用されてもよい。支持棒４０はさらに、支持棒４０のこのような手動の把持および上昇または下降を容易にするために少なくとも１つのフィンガセクション１６０を含んでもよい（図２、図１０および図１１）。
【００２３】
ポスト受け７０のうちの少なくとも１つは、支持ポスト５０を解放してその垂直動作を可能にすべくそのアクチュエータ２０５が手動で作動されるまで支持ポスト５０をポスト受け７０に対して所定位置に固定するように構成されるクランプロック２００（図２）を含んでもよい。支持ポスト５０はさらに、クランプロック２００と協働するための少なくとも１つのロック溝２０７を含んでもよい。
【００２４】
使用に際しては、エンクロージャウェル６０が車両座席３０の上面３８と同一平面に設置された状態で、支持棒４０は、車両座席３０の上面３８と同一平面である収納位置８０（図１および図１４）まで下降されてもよく、次いで、少なくとも１つの衣服２５または衣服用ハンガ２０を載せるサポートを提供するために展開位置９０（図２および図１５）へと配置されてもよい。
【００２５】
図６から図９に示されている本発明の代替実施形態において、１対の水平支持棒４０は各々、旋回機構２１０において、その近位端４１が支持ポスト５０の上端５８へ固定される。このような実施形態では、支持ポスト５０がその収納位置８０（図８）へ下降されると、各支持棒４０の遠位端４９は車両座席３０の上面３８と同一平面になる。
【００２６】
本発明の特定の形式について図示し且つ説明してきたが、本発明の精神および範囲を逸脱することなく様々な変更が行われ得ることは明白であろう。例えば、支持棒４０の形状は、図面に示されている形状から変えられてもよい。したがって、本発明は、添付の請求の範囲に記載されたもの以外に限定されるべきではない。
【００２７】
本発明の所定の特徴または態様を説明する際に使用されている特定の用語法は、その用語法が、その用語法に関連する本発明の任意の特有の特徴、機能または態様に限定されるべく本明細書で定義し直されていることを含意するものと解釈されるべきではない。概して、以下の請求の範囲において使用される用語は、先の詳細な説明の部分がこのような用語を明示的に定義していない限り、本発明を本明細書に開示されている特有の実施形態に限定するものと解釈されるべきではない。したがって、本発明の実際の範囲は、開示されている実施形態だけでなく、本発明を実施または実装する全ての同等方法をも包含する。
【００２８】
本発明の実施形態に関する上述の詳細な説明は、網羅的であることを意図するものではなく、また本発明をこれまでに開示した精密な形式または本開示において言及されている具体的な使用分野に限定するためのものでもない。これまでに行った本発明の特定の実施形態およびその例の記述は単に例示を目的とするものであり、当業者には理解されるように、本発明の範囲内で様々な同等の変更が可能である。また、本明細書に提示されている本発明の教示内容は、必ずしもこれまでに述べたシステムではなく他のシステムへも適用されることが可能である。前述の様々な実施形態のエレメントおよび作用は、さらなる実施形態を提供するために組み合わされることが可能である。
【００２９】
添付の出願書類に記載され得る任意の引例を含む上述の特許および出願および他の引例は全て、参照により本明細書に組み込まれる。本発明の態様は、必要であれば、これまでに述べた様々な引例のシステム、機能および概念を使用して本発明のさらに他の実施形態を提供するために変更されることが可能である。
【００３０】
本発明に対しては、上述の「詳細な説明」に鑑みて変更が行われてもよい。これまでの説明は本発明の所定の実施形態を詳述し且つ企図される最良の形態を記述しているが、本文においてこれらが如何に詳述されていようとも、本発明は多くの方法で実施されることが可能である。したがって、実装の詳細は著しく変わり得るが、それでも本明細書に記述されている発明によって包含される。先に述べたように、本発明の所定の特徴または態様を記述する際に使用されている特定の用語法は、その用語法が、その用語法に関連する本発明の任意の特有の特徴、機能または態様に限定されるべく本明細書で定義し直されていることを含意するものと解釈されるべきではない。
【００３１】
以下、本発明の所定の態様を所定のクレーム形式で提示するが、発明者は、本発明の様々な態様を任意数のクレーム形式で企図する。したがって、発明者は、出願提出後も本発明の他の態様についてこのような追加的クレーム形式を遂行するために追加的クレームを加える権利を保有する。
【図１】
2012140117.tif 000003
【図２】
2012140117.tif 000004
【図３】
2012140117.tif 000005
【図４】
2012140117.tif 000006
【図５】
2012140117.tif 000007
【図６】
2012140117.tif 000008
【図７】
2012140117.tif 000009
【図８】
2012140117.tif 000010
【図９】
2012140117.tif 000011
【図１０】
2012140117.tif 000012
【図１１】
2012140117.tif 000013
【図１２】
2012140117.tif 000014
【図１３】
2012140117.tif 000015
【図１４】
2012140117.tif 000016
【図１５】
2012140117.tif 000017
【図１６】
2012140117.tif 000018
【図１７】
2012140117.tif 000019
【図１８】
2012140117.tif 000020
【外国語明細書】
2012140117000001.pdf
2012140117000002.pdf
2012140117000003.pdf
2012140117000004.pdf